(57)【要約】【課題】洗面台のサイズをコンパクトにした上で、部品点数を増やさず、１つの梱包で搬送することができる洗面台を提供することを目的としている。【解決手段】本発明における洗面化粧台は、内部に収納空間を有するキャビネット部と、キャビネット部の上面に設けられた洗面ボウル部と、キャビネット部の底部に設けられたけこみ部と、を備えた洗面台であって、キャビネット部とけこみ部とは分割可能に構成され、キャビネット部の背面には、けこみ部の前面を外部に露出させた状態で収納空間にけこみ部を収納させるための開口部が設けられている。【選択図】図２
2018050654.tif 000002
【特許請求の範囲】
【請求項１】
内部に収納空間を有するキャビネット部と、
前記キャビネット部の上面に設けられた洗面ボウル部と、
前記キャビネット部の底部に設けられたけこみ部と、
を備えた洗面台であって、
前記キャビネット部と前記けこみ部とは分割可能に構成され、
前記キャビネット部の背面には、前記けこみ部の前面を外部に露出させた状態で前記収納空間に前記けこみ部を収納させるための開口部が設けられていることを特徴とする洗面台。
【請求項２】
前記洗面ボウル部は、下方へ窪むように形成されているボウル、を有し、
前記けこみ部は、一辺が開放された略π字型となっており、前板と、前記前板の両端部近傍より内側から前記前板と直交する方向へ延びる一対の側板と、を有し、
前記一対の側板の内面同士の間隔は、前記ボウルの横幅より大きく、
前記ボウルと前記キャビネット部の一対の側面板との間に、前記一対の側板をそれぞれ挿入可能としたことを特徴とする請求項１記載の洗面台。
【請求項３】
前記開口部の横幅は、前記前板の横幅より小さく形成されていることを特徴とする請求項２記載の洗面台。
【請求項４】
前記一対の側板の外面同士の間隔は、前記一対の側面板の内面同士の間隔と略同一であることを特徴とする請求項２または請求項３に記載の洗面台。
【発明の詳細な説明】
【技術分野】
【０００１】
本発明は、収納空間を有するキャビネット部と、キャビネット部の上面に設けられた洗面ボウル部と、洗面台本体の底部に設けられたけこみ部と、を備えた洗面台に関する。
【背景技術】
【０００２】
従来、洗面台の搬送時において、搬送性を向上させるため、洗面台を分割することで、サイズをコンパクトにし、複数の梱包に分け搬送しているものが知られている（例えば、特許文献１）。
【先行技術文献】
【特許文献】
【０００３】
【特許文献１】特開２００２−１１９４３２
【発明の概要】
【発明が解決しようとする課題】
【０００４】
しかしながら、特許文献１のような、洗面台の梱包構造では、洗面台を分割することで、部品点数が増えてしまい、その増加分搬送コストが加算してしまうといった課題があった。
【０００５】
本発明は、前記課題を解決するためになされたものであり、洗面台のサイズをコンパクトにした上で、部品点数を増やさず、１つの梱包で搬送することができる洗面台を提供することである。
【課題を解決するための手段】
【０００６】
前記目的を達成するために請求項１記載の洗面台において、内部に収納空間を有するキャビネット部と、前記キャビネット部の上面に設けられた洗面ボウル部と、前記キャビネット部の底部に設けられたけこみ部と、を備えた洗面台であって、前記キャビネット部と前記けこみ部とは分割可能に構成され、前記キャビネット部の背面には、前記けこみ部の前面を外部に露出させた状態で前記収納空間に前記けこみ部を収納させるための開口部が設けられていることを特徴とする。
そのため、けこみ部の前面の大きさによらず、けこみ部の大きさだけ洗面台全体のサイズをコンパクトにでき、且つ１つの梱包で洗面台を運ぶことができるため搬送性能が向上する。
【０００７】
また、請求項２記載の洗面台において、前記洗面ボウル部は、下方へ窪むように形成されているボウル、を有し、前記けこみ部は、一辺が開放された略π字型となっており、前板と、前記前板の両端部近傍より内側から前記前板と直交する方向へ延びる一対の側板と、を有し、前記一対の側板の内面同士の間隔は、前記ボウルの横幅より大きく、前記ボウルと前記キャビネット部の一対の側面板との間に、前記一対の側板をそれぞれ挿入可能としたことを特徴とする。
そのため、けこみ部を開口部からキャビネット部内の収納空間へ収納する際、キャビネット部の内部において、ボウルをけこみ部の一対の側板で挟みこむことになり、けこみ部がボウルに当たることを抑制する。
従って、けこみ部の収納が阻害されることを防止し、けこみ部の内部への収納が容易となる。
【０００８】
また、請求項３記載の洗面台において、前記開口部の横幅は、前記前板の横幅より小さく形成されていることを特徴とする。
そのため、けこみ部を開口部に収納する際に、前板の一部が開口部につっかえることでストッパの役目を果たし、搬送時にけこみ部が収納空間内部に落下することを防止することができる。
従って、搬送時にけこみ部が収納空間内部に落下することでけこみ部又はキャビネット内が破損することを防ぐことができるとともに、施工時に、けこみ部の前板を掴むことで、収納空間内部からけこみ部を容易に引き出すことができる。
【０００９】
また、請求項４記載の洗面台において、前記一対の側板の外面同士の間隔は、前記一対の側面板の内面同士の間隔と略同一であることを特徴とする。
そのため、けこみ部を開口部から収納空間内に収納した際には、けこみ部の側板の外面とキャビネット部の側面板の内面とが当接する。
従って、キャビネット部の側面板の補強となり、搬送時にキャビネット部を押し付ける力が働いたことに起因するキャビネット部の側面板が破損することを防ぐ。
また、けこみ部の側板の外面とキャビネット部の側面板の内面とが互いに当接し合うことで搬送時にけこみ部が収納空間内でがたつかない
加えて、補強のため別部材を必要とせず、コスト削減に繋がる。
【発明の効果】
【００１０】
本発明によれば、けこみ部の前面の大きさによらず、けこみ部の大きさだけ洗面台全体のサイズをコンパクトにでき、且つ１つの梱包で洗面台を運ぶことができるため搬送性能が向上する。
【図面の簡単な説明】
【００１１】
【図１】本発明の実施形態にかかる洗面台を示す斜視図である。
【図２】本発明の実施形態にかかるけこみ部の斜視図である。
【図３】本発明の実施形態にかかる洗面台における分割前の背面図である。
【図４】本発明の実施形態にかかる洗面台における分割後の背面図である。
【発明を実施するための形態】
【００１２】
以下、添付図面を参照して本発明に係る洗面台の実施形態について説明する。図１は、本発明の実施形態にかかる洗面台を示す斜視図である。
【００１３】
図１に示すように、本実施形態の洗面台１は洗面台本体１０と、洗面台本体１０の底部に設けられたけこみ部２０と、によって構成されている。
また、洗面台本体１０とけこみ部２０とはダボ構造（図示せず）により分割可能となっている。
なお、図には示していないが、洗面台１の上方には、前面に鏡が取り付けられたミラーキャビネットが設置されていてもよい。
本発明において、使用者が洗面台１に向かって立っている位置が、洗面台１に対する「前方」であると定義する。
【００１４】
洗面台本体１０は、内部に収納空間Ｓを有するキャビネット部１１０とキャビネット部１１０の上面に載置された洗面ボウル部１２０とから構成されている。
【００１５】
キャビネット部１１０は、上方が開口している箱体であり、前面板１１２と一対の側面板１１４と背面板１１６（図３参照）と底面板（図示せず）とから構成されている。  
また、前面板１１２は収納空間Ｓを開閉自在とする観音扉となっている。
なお、前面板１１２は収納空間Ｓを開閉自在とする引き出し式扉でも良い。
【００１６】
洗面ボウル部１２０は、カウンター１２２とボウル１２４とを有する。カウンター１２２後方には水栓装置（図示せず）が取り付けられている。ボウル１２４は、左右方向に対して中央に位置しており、カウンター１２２の内周より下方へくぼむ様に形成されている。また、ボウル１２４は、水栓装置から吐水された水を受け止め、図示しない排水口から排水管１２４ａ（図３参照）へと排出される。
【００１７】
次に、けこみ部２０の詳細構造について説明する。
図２に本発明の実施形態にかかるけこみ部の斜視図を示す。
【００１８】
けこみ部２０は、キャビネット部１１０の横幅と同じ幅を有する前板２２と、前板２２の左右方向両端より僅かに内側の位置において、前板２２の背面から前板２２と直交する方向（前後方向）へ延びる一対の側板２４から構成されている。つまり、けこみ部２０は後方が開放した略π字形状となっている。
また、けこみ部２０は、正面視で前板２２の上端および下端は、側板２４の上端および下端と面一となっている。
ここで、略π字形状とは、一対の直線状の板に対し、直交する形でその前面と連接しており、各連接点より外部まで延びている一枚の直線状の板を有する形状を指す。
なお、僅かに内側（両端部近傍）とは、例えば、両端より２ｃｍ〜１０ｃｍの間を指す。
【００１９】
次に、洗面台１を洗面台本体１０とけこみ部２０とに分割し、けこみ部２０をキャビネット部１１０に収納した状態を説明する。
図３に本発明の実施形態にかかる洗面台における分割前の背面図を示す。図４に本発明の実施形態にかかる洗面台における分割後の背面図を示す。
【００２０】
図３に示すように、キャビネット部１１０の背面において、背面板１１６の上方は、背面板１１６とカウンター１２２との間にけこみ部２０を収容するための開口部Ｏが形成されている。背面板１１６の上面の高さは、側面板１１４の上面の高さより、けこみ部２０の縦幅に相当した幅分だけ低い高さに位置している。
換言すると、開口部Ｏは、背面板１１６の上面と一対の側面板１１４の内面とカウンター１２２の下面とに囲まれた領域である。
【００２１】
搬送時において洗面台１を梱包する際、洗面台１を洗面台本体１０とけこみ部２０とに分割した際に、けこみ部２０を開口部Ｏに対し、けこみ部２０の後方（側板２４）側から、けこみ部２０の前板２２を外部に露出させた状態で収納する。
そのため、洗面台１を洗面台本体１０と、けこみ部２０と、に分割し、けこみ部２０をキャビネット部１１０内の収納空間Ｓに収納することで、けこみ部２０の前板２２の大きさによらず、けこみ部２０の大きさだけ洗面台１全体のサイズをコンパクトにでき、且つ１つの梱包で洗面台を運ぶことができるため搬送性能が向上する。
【００２２】
キャビネット部１１０の収納空間Ｓ内部には、左右方向に対して中心付近にはボウル１２４が位置しており、またボウル１２４に設けられた排水口から繋がる排水管１２４ａがある。けこみ部２０は後方が開放した略π字形状であり、一対の側板２４の内面同士の間隔はボウル１２４の横幅より大きく形成しているため、けこみ部２０を開口部Ｏへ収納する際、キャビネット部１１０の内部に位置するボウル１２４や排水管１２４ａをけこみ部２０の一対の側板２４で挟みこむことになり、けこみ部２０がボウル１２４や排水管１２４ａに当たることを抑制できる。
従って、けこみ部２０の収納が阻害されることを防止し、けこみ部２０の内部への収納が容易となる。
【００２３】
開口部Ｏの横幅は、側面板１１４の横幅（横幅の厚み）分だけ、けこみ部２０の前板２２（キャビネット部１１０の横幅と同じ幅）より小さく形成されているため、けこみ部２０をキャビネット部１１０内の収納空間Ｓに収納する際に、前板２２の両端が開口部Ｏにつっかえることでストッパの役目を果たし、搬送時にけこみ部２０が収納空間Ｓ内部に落下することを防止することができる。
従って、搬送時にけこみ部２０が収納空間Ｓ内部に落下することでけこみ部２０又はキャビネット部１１０内が破損することを防ぐことができるとともに、施工時に、けこみ部２０の前板２２を掴むことで、収納空間Ｓ内部からけこみ部２０を容易に引き出すことができる。
【００２４】
けこみ部２０の一対の側板２４の外面同士の横幅は開口部Ｏの横幅と略同一の幅を有している。つまり、一対の側板２４の外面同士の横幅は、側面板１１４の内面同士の横幅と略同一の幅を有している。
ここで、略同一の幅とは、けこみ部２０を収納した際に、一対の側板２４の外面と一対の側面板１１４の内面との両者間に摩擦が発生する程度の幅を指している。
【００２５】
そのため、けこみ部２０を開口部Ｏから収納空間Ｓ内に収納した際には、けこみ部２０の一対の側板２４の外面とキャビネット部の一対の側面板１１４の内面とが当接する。
従って、キャビネット部１１０の側面板１１４の補強となり、搬送時にキャビネット部１１０を押し付ける力が働いたことに起因するキャビネット部１１０の側面板１１４が破損することを防ぐ。
また、けこみ部２０の一対の側板２４の外面とキャビネット部１１０の一対の側面板１１４の内面とが互いに当接し合うことで搬送時にけこみ部２０が収納空間Ｓ内でがたつかない。加えて、補強のため別部材を必要とせず、コスト削減に繋がる。
【００２６】
さらに、けこみ部２０の前板２２の横幅とキャビネット部１１０の横幅が略同一であるため、けこみ部２０をキャビネット部１１０内に収納した際に、けこみ部２０の前板２２の端部とキャビネット部１１０の側面板１１４との間に段差が生じることを抑制でき、梱包した際にこの段差の存在によって梱包材（ダンボール等）が破れてしまう可能性を低減できる。
【００２７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、開口部Ｏは背面板１１６に設けても良いし、開口部Ｏなどが備える各要素の形状、寸法、材質、配置などやけこみ部２０の設置形態などは、例示したものに限定されるわけではなく適宜変更することができる。  
【符号の説明】
【００２８】
１    洗面台
１０    洗面台本体
２０    けこみ部
２２    前板
２４    側板
１１０    キャビネット部
１１２    前面板
１１４    側面板
１１６    背面板
１２０    洗面ボウル部
１２２    カウンター
１２２ａ  水栓装置
１２４    ボウル
Ｓ        収納空間
Ｏ        開口部
【図１】
2018050654.tif 000003
【図２】
2018050654.tif 000004
【図３】
2018050654.tif 000005
【図４】
2018050654.tif 000006